(57)【要約】【課題】開閉門の設置時または設置後に、開閉門の構造の変更や調整を行うことを可能にする。【解決手段】ヒジツボの門柱側部材１００Ａは、第１の門柱固定部１１０Ａと第２の門柱固定部１２０Ａとを有する。第１の門柱固定部１１０Ａと第２の門柱固定部１２０Ａとで門柱３００Ａを挟み込むことによって、門柱側部材１００Ａは門柱３００Ａに固定される。第１の門柱固定部１１０Ａの一方の端部には円柱状の固定軸１４０が固定されている。ヒジツボの門扉側部材２００は、門柱３００Ａの軸方向に門柱３００Ａと平行に伸びる門扉４００の枠の一辺に固定されており、中空部２０１を有する。第１の門柱固定部１１０Ａの固定軸１４０は中空部２０１を貫通している。門扉４００は、固定軸１４０を中心として回転し、前後に開閉する。門柱側部材１００Ａの位置や方向の調整により、門扉４００の高さを調整したり、外開きから内開きに変更したりすることができる。【選択図】図４
2012246626.tif 000002
【特許請求の範囲】
【請求項１】
門柱と、
前記門柱を挟み込むことによって前記門柱に固定される第１の門柱固定部と第２の門柱固定部とを有し、当該第１の門柱固定部の一方の端部に、前記門柱の軸方向に前記門柱と平行に伸びる円柱状の固定軸を有するヒジツボの門柱側部材と
前記第１の門柱固定部の固定軸が貫通する中空部を有するヒジツボの門扉側部材が、前記門柱の軸方向に前記門柱と平行に伸びる枠の一辺に固定されており、前記第１の門柱固定部の固定軸を中心として回転可能に前記門柱に取り付けられている門扉と、
を備えることを特徴とする開閉門。
【請求項２】
前記門柱が、円柱状であることを特徴とする請求項１に記載の開閉門。
【請求項３】
門柱を挟み込むことによって前記門柱に固定される第１の門柱固定部と第２の門柱固定部とを有し、当該第１の門柱固定部の一方の端部に円柱状の固定軸を有する門柱側部材と、
門扉を回転させることができるように前記第１の門柱固定部の固定軸を貫通させることができる中空部を有し、前記門扉の枠の一辺に固定された門扉側部材と、
を備えることを特徴とするヒジツボ。
【発明の詳細な説明】
【技術分野】
【０００１】
本発明は、柵の出入り口に設置される開閉門およびそれに用いられるヒジツボに関する。
【背景技術】
【０００２】
開き戸の回動装置の一種にヒジツボがある。ヒジツボは、門扉を回転させて前後に開閉することを可能にする。ヒジツボは、門柱に固定される門柱側部材と門扉に固定される門扉側部材で構成される。門柱側部材は円柱状の固定軸を有し、門扉側部材は中空部を有する。門扉側部材の中空部に門柱側部材の固定軸が回転可能に挿入されることで、門扉が門柱に回転可能に保持される（例えば、特許文献１参照）。
【先行技術文献】
【特許文献】
【０００３】
【特許文献１】特開２００１−１４６８６８号公報
【発明の開示】
【発明が解決しようとする課題】
【０００４】
ヒジツボの門柱側部材と門扉側部材はネジ留めや溶接によりそれぞれ門柱と門扉に取り付けられる。
一方、農場を囲む柵に設けられる門では、金属のようなネジ留の困難な素材でできた門柱を２本地面に突き刺し、その間に門扉を設置する場合がある。このような場合、門柱にヒジツボの門柱側部材を溶接せざるを得ない。
しかし、斜面に門を設置する場合には、その傾斜に合わせて門扉の高さを細かく調整する必要があるが、門柱とヒジツボの門柱側部材とが溶接されている場合には門の設置場所で門扉の高さを調整することができない。
また、開閉門を外開きで設置したが、後日内開きに変更したい場合等、設置後に開閉門の構造を変更したい場合がある。しかし、門柱とヒジツボの門柱側部材とが溶接されている場合には開閉門の構造を変更することはできない。
【０００５】
本発明の目的は、開閉門の設置時または設置後に、開閉門の構造の変更や調整を容易に行うことができる開閉門およびそれに用いられるヒジツボを提供することである。
【課題を解決するための手段】
【０００６】
上記課題を解決するために、本発明の開閉門は、
門柱と、
前記門柱を挟み込むことによって前記門柱に固定される第１の門柱固定部と第２の門柱固定部とを有し、当該第１の門柱固定部の一方の端部に、前記門柱の軸方向に前記門柱と平行に伸びる円柱状の固定軸を有するヒジツボの門柱側部材と
前記第１の門柱固定部の固定軸が貫通する中空部を有するヒジツボの門扉側部材が、前記門柱の軸方向に前記門柱と平行に伸びる枠の一辺に固定されており、前記第１の門柱固定部の固定軸を中心として回転可能に前記門柱に取り付けられている門扉と、
を備えることを特徴とする。
【０００７】
好ましくは、本発明の開閉門は、前記門柱が、円柱状であることを特徴とする。
【０００８】
また、本発明のヒジツボは、
門柱を挟み込むことによって前記門柱に固定される第１の門柱固定部と第２の門柱固定部とを有し、当該第１の門柱固定部の一方の端部に円柱状の固定軸を有する門柱側部材と、
門扉を回転させることができるように前記第１の門柱固定部の固定軸を貫通させることができる中空部を有し、前記門扉の枠の一辺に固定された門扉側部材と、
を備えることを特徴とする。
【発明の効果】
【０００９】
本発明によれば、開閉門の設置時または設置後に、開閉門の構造の変更や調整を容易に行うことができる。
【図面の簡単な説明】
【００１０】
【図１】本発明の第１の実施形態に係る開閉門の一例の正面図である。
【図２】本発明の第１の実施形態に係るヒジツボの門柱側部材の一例の正面図である。
【図３】本発明の第１の実施形態に係るヒジツボの門柱側部材の一例を上方から見たときの分解図である。
【図４】門扉を門柱に取り付ける方法の一例を示す図である。
【図５】傾斜地に設置された本発明の第１の実施形態に係る開閉門の一例を示す図である。
【図６】（Ａ）門柱を中心として門柱側部材を回転させることができることを示す図である。（Ｂ）門柱側部材と門扉の成す角度が１８０度であるときの門の幅の一例を示す図である。（Ｃ）門柱側部材と門扉の成す角度が１８０度より小さいときの門の幅の一例を示す図である。
【図７】（Ａ）内開きの開閉門の一例を示す図である。（Ｂ）外開きの開閉門の一例を示す図である。
【図８】本発明の第２の実施形態に係るヒジツボの門柱側部材の一例の斜視図である。
【図９】本発明の第２の実施形態に係るヒジツボの門柱側部材の一例を上方から見たときの分解図である。
【図１０】本発明の第２の実施形態に係る開閉門において、門柱に対して門柱側部材の取り得る３つの位置を示す図である。
【図１１】本発明の第３の実施形態に係るヒジツボの門柱側部材の一例を上方から見たときの分解図である。
【発明を実施するための形態】
【００１１】
以下、本発明の実施形態に係る開閉門について図面を参照しながら説明する。
なお、以下では、両開き戸を例として説明するが、本発明は片開き戸についても同様に適用することができる。
【００１２】
本発明の実施形態に係る開閉門は、例えば、動物の侵入を防止しようとする区域（農場等）を囲む侵入防止柵の門として用いられる。この侵入防止柵では、動物の侵入を防止しようとする区域の境界線に沿って所定の間隔で複数の支柱が地中に打ち込まれて立設している。そして、支柱の間にはネットが張設されている。
図１は、本発明の第１の実施形態に係る開閉門の一例の正面図である。
本発明の第１の実施形態に係る開閉門は、ヒジツボの門柱側部材１００Ａと、ヒジツボの門扉側部材２００と、門柱３００Ａと、門扉４００とを備える。
門柱３００Ａは、円柱状であり、例えば亜鉛メッキされた鉄パイプである。門柱３００Ａは、侵入防止柵の高さに合った所定の長さを有する。門柱３００Ａは、例えば地中に打ち込まれて立設している。図示しないが、門柱３００Ａを支持する傾斜した補強柱を適宜設けてもよい。
門扉４００は、例えば、金属製の四角の枠の中にネットが張られた構造を有する。
ヒジツボの門柱側部材１００Ａは、門柱３００Ａを挟み込むことによって門柱３００Ａに固定される。門柱側部材１００Ａは、円柱状の固定軸１４０を有する。
ヒジツボの門扉側部材２００は、中空部を有している。門扉側部材２００は、門扉４００の枠の一辺に、例えば溶接によって固定されている。門扉４００が門柱３００Ａに取り付けられるとき、門扉側部材２００が固定された枠は門柱３００Ａの軸方向に門柱３００Ａと平行に伸びる。後述するように、門扉側部材２００の中空部に門柱側部材１００Ａの固定軸１４０を貫通させることによって、門扉４００は固定軸１４０を中心として回転できるように門柱３００Ａに取り付けられる。
【００１３】
図２は本発明の第１の実施形態に係るヒジツボの門柱側部材１００Ａの一例の正面図であり、図３は門柱側部材１００Ａの一例を上方から見たときの分解図である。
ヒジツボの門柱側部材１００Ａは、第１の門柱固定部１１０Ａと、第２の門柱固定部１２０Ａとで構成される。
第１の門柱固定部１１０Ａは、両側に平端部１１１Ａと平端部１１３Ａを備え、それらの間に凹部１１２Ａを有する。凹部１１２Ａは、横断面の形状が半円状であり、門柱３００Ａの側面の形状の一部と一致する形状を有する。第１の門柱固定部１１０Ａの一方の端部、すなわち平端部１１３Ａの端部に、円柱状の固定軸１４０が溶接等により固定した形で取り付けられている。
第２の門柱固定部１２０Ａは、両側に平端部１２１Ａと平端部１２３Ａを備え、それらの間に凹部１２２Ａを有する。凹部１２２Ａも、断面の形状が半円状であり、門柱３００Ａの側面の形状の一部と一致する形状を有する。
凹部１１２Ａと凹部１２２Ａによって門柱３００Ａを挟み込むことができる。
【００１４】
門柱側部材１００Ａを門柱３００Ａに固定するには、まず、凹部１１２Ａと凹部１２２Ａとで門柱３００Ａを挟み込む。次に、平端部１１１Ａと平端部１２１Ａを対向させて、ボルト１３１とナット１３２、およびボルト１３５と図示しないナットで平端部１１１Ａと平端部１２１Ａを止める。同様に平端部１１３Ａと平端部１２３Ａを対向させて、ボルト１３３とナット１３４、およびボルト１３７と図示しないナットで平端部１１３Ａと平端部１２３Ａを止める。これにより、門柱側部材１００Ａを門柱３００Ａに固定することができる。
【００１５】
図４は、門扉を門柱に取り付ける方法の一例を示す。
門扉を門柱に取り付けるには、まず上述した方法で門柱側部材１００Ａを門柱３００Ａに固定する。次に、第１の門柱固定部１１０Ａの固定軸１４０をヒジツボの門扉側部材２００の中空部２０１に下方より挿入し、固定軸１４０を中空部２０１に貫通させる。これにより、固定軸１４０を中心として回転可能に門扉４００を門柱３００Ａに取り付けることができる。
【００１６】
第１の実施形態に係る開閉門は、門柱３００Ａに取り付けられるヒジツボの門柱側部材１００Ａの位置を調整することにより、門扉４００の高さを調整することができる。このため、図５に示すように、第１の実施形態に係る開閉門は、斜面にも容易に設置することができる。
なお、門柱３００Ａと支柱（図示なし）の間、および支柱間には例えばネット５００が張設されている。
【００１７】
ヒジツボの門柱側部材１００Ａが門柱３００Ａに固定されていない状態では、図６（Ａ）に示すように、門柱３００Ａを中心として門柱側部材１００Ａを回転させることができる。そこで、侵入防止柵の出入り口に開閉門を設置する際に、ヒジツボの門柱側部材１００Ａと門扉４００の成す角度を調整することにより、立設している２本の門柱３００Ａの幅に合わせて門扉４００を門柱３００Ａに取り付けることができる。
図６（Ｂ）に示すように、門柱側部材１００Ａと門扉４００の成す角度が１８０度であるとき、門の幅は最も広い。例えば、図６（Ｃ）の門の幅２は、図６（Ｂ）の門の幅１より狭い。門扉４００の幅が一定であっても、図６（Ｃ）に示すように、門柱側部材１００Ａと門扉４００の成す角度ａを小さくすると、門の幅は狭くなる。
このように、第１の実施形態に係る開閉門は、門扉４００の幅が一定であっても、門の幅を細かく調整することができる。このため、２本の門柱３００Ａの地中への打ち込み位置を門扉４００の幅に合わせるために細かく調整する必要はない。
【００１８】
また、第１の実施形態に係る開閉門は、ヒジツボの門柱側部材１００Ａと門扉４００の成す角度を変えることにより、内開きと外開きのいずれにもすることができる。
例えば、図７（Ａ）に示すように、ヒジツボの門柱側部材１００Ａを柵の内側に向けて取り付けると、門扉４００を柵の内側に向けて開くことができる。一方、図７（Ｂ）に示すように、ヒジツボの門柱側部材１００Ａを柵の外側に向けて取り付けると、門扉４００を柵の外側に向けて開くことができる。
【００１９】
図８は本発明の第２の実施形態に係るヒジツボの門柱側部材１００Ｂの一例の斜視図であり、図９は門柱側部材１００Ｂの一例を上方から見たときの分解図である。
本発明の第２の実施形態に係る開閉門は、図示しないが、ヒジツボの門柱側部材１００Ｂと、ヒジツボの門扉側部材２００と、門柱３００Ｂと、門扉４００とを備える。
ヒジツボの門扉側部材２００と門扉４００は、第１の実施形態に係る開閉門と第２の実施形態に係る開閉門とで同一である。
以下、第１の実施形態に係る開閉門と第２の実施形態に係る開閉門との異なる点について説明する。
門柱３００Ｂは、正四角柱であり、例えば亜鉛メッキされた鉄製の角パイプである。門柱３００Ｂは、侵入防止柵の高さに合った所定の長さを有する。
ヒジツボの門柱側部材１００Ｂは、門柱３００Ｂを挟み込むことによって門柱３００Ｂに固定される。なお、門柱側部材１００Ｂが円柱状の固定軸１４０を有する点は、第１の実施形態に係る門柱側部材１００Ａと同一である。
【００２０】
ヒジツボの門柱側部材１００Ｂは、第１の門柱固定部１１０Ｂと、第２の門柱固定部１２０Ｂとで構成される。
第１の門柱固定部１１０Ｂは、両側に平端部１１１Ｂと平端部１１３Ｂを備え、それらの間に凹部１１２Ｂを有する。凹部１１２Ｂは、門柱３００Ｂの側面の形状の一部と一致する形状を有する。門柱側部材１００Ｂが門柱３００Ｂに固定されるとき、凹部１１２Ｂは門柱３００Ｂの４つの側面のうち３面と接着する。第１の門柱固定部１１０Ｂの一方の端部、すなわち平端部１１３Ｂの端部に、円柱状の固定軸１４０が溶接等により固定した形で取り付けられている。
第２の門柱固定部１２０Ｂは、両側に平端部１２１Ｂと平端部１２３Ｂを備え、それらの間に凹部１２２Ｂを有する。凹部１２２Ｂも、門柱３００Ｂの側面の形状の一部と一致する形状を有する。門柱側部材１００Ｂが門柱３００Ｂに固定されるとき、凹部１２２Ｂは門柱３００Ｂの４つの側面のうち３面と接着する。
凹部１１２Ｂと凹部１２２Ｂによって門柱３００Ｂを挟み込むことができる。
【００２１】
第２の実施形態に係る開閉門は、第１の実施形態に係る開閉門と同様に、内開きと外開きのいずれにもすることができ、また、門柱３００Ｂに取り付けられるヒジツボの門柱側部材１００Ｂの位置を調整することにより、門扉４００の高さを調整することができる。
ただし、第２の実施形態に係る開閉門では、門柱３００Ｂに対して門柱側部材１００Ｂの取り得る位置は図１０に示す３つに制限される。このため、第１の実施形態に係る開閉門と異なり、第２の実施形態に係る開閉門では、侵入防止柵の出入り口に開閉門を設置する際に、門の幅を細かく調整することはできない。
【００２２】
図１１は、本発明の第３の実施形態に係るヒジツボの門柱側部材１００Ｃの一例を上方から見たときの分解図である。
本発明の第３の実施形態に係る開閉門は、図示しないが、ヒジツボの門柱側部材１００Ｃと、ヒジツボの門扉側部材２００と、門柱３００Ｂと、門扉４００とを備える。
第３の実施形態に係る開閉門では、門柱３００Ｂが第２の実施形態に係る開閉門における配置に対して右または左に４５度回転している。このため、門柱３００Ｂを挟み込む部分である凹部１１２Ｃと凹部１２２Ｃの形状が第３の実施形態における凹部１１２Ｂおよび凹部１２２Ｂと異なる。これ以外の点は、効果も含め、第２の実施形態に係る開閉門と第３の実施形態に係る開閉門とで同一である。
【００２３】
すなわち、ヒジツボの門柱側部材１００Ｃは、第１の門柱固定部１１０Ｃと、第２の門柱固定部１２０Ｃとで構成される。
第１の門柱固定部１１０Ｃは、両側に平端部１１１Ｃと平端部１１３Ｃを備え、それらの間に凹部１１２Ｃを有する。凹部１１２Ｃは、門柱３００Ｂの側面の形状の一部と一致する形状を有する。門柱側部材１００Ｃが門柱３００Ｂに固定されるとき、凹部１１２Ｃは門柱３００Ｂの４つの側面のうち２面と接着する。第１の門柱固定部１１０Ｃの一方の端部、すなわち平端部１１３Ｃの端部に、円柱状の固定軸１４０が溶接等により固定した形で取り付けられている。
第２の門柱固定部１２０Ｃは、両側に平端部１２１Ｃと平端部１２３Ｃを備え、それらの間に凹部１２２Ｃを有する。凹部１２２Ｃも、門柱３００Ｂの側面の形状の一部と一致する形状を有する。門柱側部材１００Ｃが門柱３００Ｂに固定されるとき、凹部１２２Ｃは門柱３００Ｂの４つの側面のうち２面と接着する。
【００２４】
なお、上述した実施形態では、門柱が円柱と正四角柱である例について説明したが、門柱は、正八角柱等横断面の形状が点対称である他の正多角柱であってもよい。
また、上述した実施形態では門柱と門扉にヒジツボを２個取り付ける例について説明したが、門柱と門扉に取り付けられるヒジツボの個数は任意であり、門柱と門扉にヒジツボを１個または３個以上取り付けてもよい。
【００２５】
以上説明したように、本発明によれば、開閉門の設置時または設置後に、開閉門の構造の変更や調整を容易に行うことができる。
例えば、本発明によれば、門柱が金属のようなネジ留の困難な素材でできていても、開閉門の設置時に、門扉の高さを容易に調整することができる。
また、開閉門の設置後に、外開きから内開きに、または内開きから外開きに変更することができる。
更に、門柱が円柱状である場合には、門扉の幅が一定であっても、門の幅を細かく調整することができるため、２本の門柱の地中への打ち込み位置の細かい調整は不要となる。
【００２６】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００２７】
１００Ａ、１００Ｂ、１００Ｃ…ヒジツボの門柱側部材、１１０Ａ、１１０Ｂ、１１０Ｃ…第１の門柱固定部、１１１Ａ、１１１Ｂ、１１１Ｃ…第１の門柱固定部の平端部、１１２Ａ、１１２Ｂ、１１２Ｃ…第１の門柱固定部の凹部、１１３Ａ、１１３Ｂ、１１３Ｃ…第１の門柱固定部の平端部、１２０Ａ、１２０Ｂ、１２０Ｃ…第２の門柱固定部、１２１Ａ、１２１Ｂ、１２１Ｃ…第２の門柱固定部の平端部、１２２Ａ、１２２Ｂ、１２２Ｃ…第２の門柱固定部の凹部、１２３Ａ、１２３Ｂ、１２３Ｃ…第２の門柱固定部の平端部、１３１、１３３、１３５、１３７…ボルト、１３２、１３４…ナット、１４０…ヒジツボの門柱側部材の固定軸、２００…ヒジツボの門扉側部材、２０１…ヒジツボの門扉側部材の中空部、３００Ａ、３００Ｂ…門柱、４００…門扉、５００…ネット
【図１】
2012246626.tif 000003
【図２】
2012246626.tif 000004
【図３】
2012246626.tif 000005
【図４】
2012246626.tif 000006
【図５】
2012246626.tif 000007
【図６】
2012246626.tif 000008
【図７】
2012246626.tif 000009
【図８】
2012246626.tif 000010
【図９】
2012246626.tif 000011
【図１０】
2012246626.tif 000012
【図１１】
2012246626.tif 000013